(57)【要約】【課題】面光源装置と拡散板との間に介在し、画像の輝度均一性を向上させるサポート部材、これを有するバックライトアセンブリ、及びこれを有する表示装置を提供する。【解決手段】サポート部材は、第１基板と第２基板とが結合して発光領域と非発光領域を形成する面光源装置と、光の特性を向上させる光学部材との間に介在される。サポート部材は、面光源装置の非発光領域に配置される固定部と、光学部材を支持するさサポート部とを含む。これによって、面光源装置を含む表示装置において、画像の輝度及び画像の輝度均一性をより向上させる。【選択図】図１
2006210337.tif 000002
【特許請求の範囲】
【請求項１】
光源装置の一面に配置される固定部と、
光学部材を支持するための前記固定部上に配置されたサポート部とを有することを特徴とするサポート部材。
【請求項２】
前記光源装置は、面形態の光学分布を有する光を発生させる面光源装置であることを特徴とする請求項１に記載のサポート部材。
【請求項３】
前記サポート部は、多角錐形状を有することを特徴とする請求項１に記載のサポート部材。
【請求項４】
前記サポート部は、円錐形状を有することを特徴とする請求項２に記載のサポート部材。
【請求項５】
前記サポート部は、サポート部の上端部に形成された曲面部を有することを特徴とする請求項１に記載のサポート部材。
【請求項６】
前記サポート部は、サポート部内部に形成された空間を有することを特徴とする請求項１に記載のサポート部材。
【請求項７】
前記サポート部は、前記光学部材に形成される暗部の面積を減少させるためにサポート部の側面に形成される暗部改善部を有することを特徴とする請求項２に記載のサポート部材。
【請求項８】
前記固定部は、複数の発光部、及び該発光部の間に配置された非発光部を有する前記面光源装置の非発光部上に配置されることを特徴とする請求項２に記載のサポート部材。
【請求項９】
前記固定部は、前記非発光部上に配置された第１固定部と、該第１固定部から前記非発光部に隣接した前記発光部に向かって延長された第２固定部とを有することを特徴とする請求項８に記載のサポート部材。
【請求項１０】
前記第２固定部は、前記発光部に向かって前記第１固定部の第１端部から延長されることを特徴とする請求項９記載のサポート部材。
【請求項１１】
前記第２固定部は、前記発光部に向かって前記第１端部と対向する第２端部から延長されることを特徴とする請求項９記載のサポート部材。
【請求項１２】
前記光学部材と向い合う前記面光源装置の表面は、発光部分である突出部を有し、前記固定部は前記突出部の間の溝部に配置された第１固定部と、該第１固定部から前記突出部方向に突出部の形状に沿って延長された第２固定部とを有することを特徴とする請求項２に記載のサポート部材。
【請求項１３】
前記固定部は、面光源装置の表面と接する接触部と、前記面光源装置と離隔された離隔部と、前記接触部と離隔部とを連結する連結部とを有することを特徴とする請求項２に記載のサポート部材。
【請求項１４】
前記面光源装置の表面と前記連結部は、３０°〜６０°の角度をなすように形成することを特徴とする請求項１３に記載のサポート部材。
【請求項１５】
前記固定部及び前記面光源装置の表面は、接着部材によって相互結合することを特徴とする請求項２に記載のサポート部材。
【請求項１６】
前記固定部とサポート部は、固定部に形成される第１結合部と、サポート部に形成される第２結合部とによって着脱可能に結合されていることを特徴とする請求項２に記載のサポート部材。
【請求項１７】
前記第１結合部は前記固定部に形成された結合突起であり、前記第２結合部は前記サポート部に形成された結合溝であることを特徴とする請求項１６に記載のサポート部材。
【請求項１８】
収納容器と、
前記収納容器に収納され、光を発生する発光部を有する面光源装置と、
前記収納容器に収納され、前記光の経路上に配置され、光の光学特性を向上させる光学部材と、
前記光学部材をサポートするサポート部と、該サポート部を前記面光源装置上に固定する固定部とを有するサポート部材と、を有することを特徴とするバックライトアセンブリ。
【請求項１９】
前記面光源装置は、第１基板と第２基板との結合によって複数の発光領域と、該発光領域の間に形成された非発光領域を有することを特徴とする請求項１８に記載のバックライトアセンブリ。
【請求項２０】
前記固定部は、前記非発光領域に配置されることを特徴とする請求項１９に記載のバックライトアセンブリ。
【請求項２１】
前記面光源装置と前記固定部との間に、外部から前記サポート部に加えられた衝撃を吸収するための衝撃吸収部が形成されることを特徴とする請求項２０に記載のバックライトアセンブリ。
【請求項２２】
前記固定部は、前記面光源装置の表面と接触する接触部と、前記面光源装置の表面から離隔された離隔部と、前記接触部と前記離隔部とを連結する連結部とを有することを特徴とする請求項２０に記載のバックライトアセンブリ。
【請求項２３】
前記面光源装置の表面と前記連結部は、３０°〜６０°の角度をなすように形成することを特徴とする請求項２２記載のバックライトアセンブリ。
【請求項２４】
前記固定部は、前記発光領域の間に形成された非発光領域上に配置された第１固定部と、前記第１固定部の第１端部から前記発光部に向かって延長された第２固定部とを有することを特徴とする請求項１７に記載のバックライトアセンブリ。
【請求項２５】
前記固定部は、前記第１固定部の前記第１端部と対向する第２端部から前記発光領域に向かって延長された第３固定部を有することを特徴とする請求項２４に記載のバックライトアセンブリ。
【請求項２６】
前記固定部は、前記第２固定部端と前記第３固定部端とを結合する結合部を更に有することを特徴とする請求項２４記載のバックライトアセンブリ。
【請求項２７】
前記面光源装置は、第１基板と、尾根部及び溝部が交代になる波状に形成され、前記第１基板と結合して複数の突出形状の発光部を形成する第２基板と、前記発光部から光を発光させる光発生ユニットとを有することを特徴とする請求項１８に記載のバックライトアセンブリ。
【請求項２８】
前記固定部は、前記第２基板に形成された前記溝部に沿って配置されることを特徴とする請求項２７に記載のバックライトアセンブリ。
【請求項２９】
前記固定部は、前記第２基板の溝部に沿って配置される第１固定部と、該第１固定部から前記溝部と隣接した前記尾根部に向かって第２基板の表面形状に沿って延長された第２固定部とを有することを特徴とする請求項２７に記載のバックライトアセンブリ。
【請求項３０】
前記第２固定部は、前記第１固定部の第１端部から延長されることを特徴とする請求項２９に記載のバックライトアセンブリ。
【請求項３１】
前記第１固定部の前記第１端部と対向する第２端部に、前記第１固定部から前記溝部と隣接した前記尾根部に向かって第２基板の表面形状に沿って延長された第３固定部を有することを特徴とする請求項３０に記載のバックライトアセンブリ。
【請求項３２】
前記第２固定部及び前記第３固定部は、前記第１固定部から前記溝部の両側に形成された尾根部に向かって延長され、前記固定部が「Ｈ」形状に形成されることを特徴とする請求項３１記載のバックライトアセンブリ。
【請求項３３】
前記第２固定部及び前記第３固定部は、前記第１固定部が配置された溝部に対して隣接した溝部まで延長されていることを特徴とする請求項３１に記載のバックライトアセンブリ。
【請求項３４】
前記第２固定部及び前記第３固定部は、前記隣接した溝部に配置される前記結合部によって結合されることを特徴とする請求項３３に記載のバックライトアセンブリ。
【請求項３５】
前記溝部の幅は、２ｍｍ〜４ｍｍであることを特徴とする請求項２９に記載のバックライトアセンブリ。
【請求項３６】
前記固定部と前記面光源装置との間に、両面接着部材が配置されることを特徴とする請求項１８に記載のバックライトアセンブリ。
【請求項３７】
第１基板と第２基板とが結合して発光領域と非発光領域を形成する面光源と、
前記面光源から発生した光の特性を向上させる光学部材と、
前記光学部材を支持するために、前記非発光領域に配置されるサポート部材と、
前記面光源及び光学部材を収納する収納容器とを有することを特徴とするバックライトアセンブリ。
【請求項３８】
前記サポート部材は、前記サポート部材を支持するサポート部と、
前記面光源の表面と接する接触部と、前記面光源と離隔された離隔部と、前記接触部と離隔部とを連結する連結部とを有する固定部とを有することを特徴とする請求項３７に記載のバックライトアセンブリ。
【請求項３９】
前記面光源の表面と前記連結部とは、３０°〜６０°の角度をなすように形成することを特徴とする請求項３８に記載のバックライトアセンブリ。
【請求項４０】
第１基板と第２基板とが結合して発光領域と非発光領域を形成する面光源装置と、前記面光源装置から発生した光の特性を向上させる光学部材と、前記光学部材を支持するために、前記非発光領域に配置されるサポート部材と、前記面光源装置及び光学部材を収納する収納容器とを有するバックライトアセンブリと、
前記光学部材を通過した前記光に基づいて画像を表示する表示パネルとを有することを特徴とする表示装置。
【発明の詳細な説明】
【技術分野】
【０００１】
本発明は、サポート部材及びこれを有するバックライトアセンブリ、並びにこれを有する表示装置に関係し、より具体的には、画像の表示品質を向上させるサポート部材、及びこれを有するバックライトアセンブリ、並びにこれを有する表示装置に関する。
【背景技術】
【０００２】
一般的に、液晶表示装置は、液晶を用いて画像を表示する。
画像を表示するために、液晶表示装置は液晶を制御する液晶制御ユニット、及び液晶に光を提供する光提供ユニットを必要とする。
【０００３】
光提供ユニットは、光を発生する光源を含む。液晶表示装置の光源は発光ダイオードのような点光源、冷陰極線管ランプのような線光源及び平板蛍光ランプのような面光源などが広く用いられている。この中、面光源は大型液晶表示装置に広く用いられている。
【０００４】
しかし、従来の面光源装置は、光が発生する発光領域及び光が遮断される非発光領域が交代に形成されるため、面光源装置からは暗線状領域と輝線状領域との明暗の差が発生する可能性がある。面光源装置によって発生された暗線状領域と輝線状領域との明暗の差は画像の輝度均一性を大きく減少させる。
【０００５】
画像の輝度均一性を向上させるために、従来、面光源装置は拡散板を含む。拡散板は、面光源装置によって発生した暗線状領域と輝線状領域との明暗の差を除去して画像の輝度均一性を向上させる。これを実現するために、拡散板は面光源装置から所定間隔に離隔され、配置することが望ましい。
【０００６】
しかしながら、面光源装置から離隔された拡散板は、自重によって曲げ（撓み）が発生し、これによって拡散板及び面光源装置が形成する間隔が局部的に変更され、これによる面光源装置の暗線状領域と輝線状領域との明暗の差が発生することによって画像の輝度均一性が減少するという問題があった。
【発明の開示】
【発明が解決しようとする課題】
【０００７】
そこで、本発明は上記従来の面光源装置における問題点に鑑みてなされたものであって、本発明の目的は、面光源装置と拡散板との間に介在し、画像の輝度均一性を向上させるサポート部材を提供することにある。
また、本発明の他の目的は、上記サポート部材を使用したバックライトアセンブリ、及び上記バックライトアセンブリを使用した表示装置を提供することにある。
【課題を解決するための手段】
【０００８】
上記目的を達成するためになされた本発明によるサポート部材は、光源装置の一面に配置される固定部と、光学部材を支持するための前記固定部上に配置されたサポート部とを有することを特徴とする。
【０００９】
また、上記目的を達成するためになされた本発明によるバックライトアセンブリは、収納容器と、前記収納容器に収納され、光を発生する発光部を有する面光源装置と、前記収納容器に収納され、前記光の経路上に配置され、光の光学特性を向上させる光学部材と、前記光学部材をサポートするサポート部と、該サポート部を前記面光源装置上に固定する固定部とを有するサポート部材と、を有することを特徴とする。
【００１０】
また、上記目的を達成するためになされた本発明によるバックライトアセンブリは、第１基板と第２基板とが結合して発光領域と非発光領域を形成する面光源と、前記面光源から発生した光の特性を向上させる光学部材と、前記光学部材を支持するために、前記非発光領域に配置されるサポート部材と、前記面光源及び光学部材を収納する収納容器とを有することを特徴とする。
【００１１】
また、上記目的を達成するためになされた本発明による表示装置は、第１基板と第２基板とが結合して発光領域と非発光領域を形成する面光源装置と、前記面光源装置から発生した光の特性を向上させる光学部材と、前記光学部材を支持するために、前記非発光領域に配置されるサポート部材と、前記面光源装置及び光学部材を収納する収納容器とを有するバックライトアセンブリと、前記光学部材を通過した前記光に基づいて画像を表示する表示パネルとを有することを特徴とする。
【発明の効果】
【００１２】
本発明によれば、面光源装置と、面光源装置と向い合う位置に配置された光学部材との間に光学部材の垂れを防止するサポート部材を介在させることにより画像の表示品質及び画像の輝度分布をより向上させる効果がある。
【発明を実施するための最良の形態】
【００１３】
次に、本発明に係るサポート部材、及びこれを有するバックライトアセンブリ、並びにこれを有する表示装置を実施するための最良の形態の具体例を図面を参照しながら説明する。
【００１４】
図面において、各層の厚さは明確にするために、誇張して表現することができる。同一の参照符合は同一構成要素を示す。また、「上に形成される」のような表現は直接的に上に形成される場合以外にその間に他の構成要素を含むことができ、「連結される」、「結合される」のような表現は直接的に連結されたもの意外に他の構成要素を含んで連結されたものもまた含むことができる。「及び／または」のような表現はその表現に連結された構成要素それぞれ、または任意の組み合わせを全て示すことができる。
【００１５】
「第１、第２、第３、…」などの表現は、多様な構成要素、成分、領域、層、及び／または部分などに用いることができる。このような「第１、第２、第３、…」などの表現は、それぞれ構成要素、成分、領域、層及び／または部分などを区分するために用いられる。
また、下部に、下、低い、上に、上部に、などの空間的表現は、図面で表現された構成要素間の結合関係に対する説明の便宜のために用いられる。
また、構成要素それぞれは、単数で表現された場合にも、明白に単数を表示しない限り、複数であることができる。また、「含む」、「有する」などの用語は、「含む」、「有する」の客体を構成する数、段階、動作、構成要素、及び成分以外のものも含むことができ、有することができるのは明白である。
【実施例１】
【００１６】
（サポート部材）
図１は、本発明の第１の実施例によるサポート部材を示した断面図である。
図１を参照すると、光源５０は、面形態の光学分布を有する光を発生する。以下、面形態の光学分布を有する光を発生させる光源５０を面光源装置と称する。
【００１７】
プレート形状を有する光学部材４０は、面光源装置５０から発生された光の経路上に配置される。本実施例で、例えば、光を拡散させる拡散板である。
【００１８】
面光源装置５０で発生した光を拡散させるために、光学部材４０は、面光源装置５０に対して指定された間隔Ｇにて相互離隔される。面光源装置５０と光学部材４０との間の間隔Ｇが局部的に不均一である場合、光学部材４０から出射された光の輝度及び輝度均一性は大きく減少する。
【００１９】
サポート部材１０は、面光源装置５０と光学部材４０との間に介在される。サポート部材１０によって面光源装置５０と光学部材４０との間の間隔Ｇは一定に維持することができる。
【００２０】
サポート部材１０は、固定部２０及びサポート部３０を含み、面光源装置５０及び光学部材４０はサポート部材１０によって支持される。サポート部材１０は光の透過が可能である透明な物質を用いることが望ましい。サポート部材１０を形成する物質の例としては、ポリエチレンテレフタレート、ポリメチルメタクリレート、ポリカーボネートなどがある。
【００２１】
固定部２０は、面光源装置５０の一面、例えば、光が出射される光出射面上に配置される。固定部２０は、面光源装置５０の指定された位置にサポート部３０を固定させる。望ましくは、固定部２０と面光源装置５０との間には接着部材（図示せず）が介在され、固定部２０は面光源装置５０上に固定される。本実施例では、接着部材は、例えば、接着剤や、両面接着テープであってもよい。
【００２２】
サポート部３０は、固定部２０上に形成または配置することができる。サポート部３０は光学部材４０と接触し、光学部材４０を安定的に支持する。
サポート部材１０の固定部２０は、サポート部３０を支持するプレート形状を有し、固定部２０の上面に配置または形成されたサポート部３０は、例えば、錐形状を有することが望ましい。
【実施例２】
【００２３】
図２は、本発明の第２の実施例によるサポート部材であり、図１の「Ａ」部分の拡大図である。サポート部の形状構造を除けば、第１の実施例のサポート部材と同じである。したがって、同一部材に対しては、第１の実施例と同一の参照番号で示し、その重複された説明は省略する。
【００２４】
図１及び図２を参照すると、サポート部材１０のサポート部３０は、例えば、錐形状を有し、サポート部３０は固定部２０から光学部材４０に向って突出する。
サポート部３０及び光学部材４０の接触面積が増加する場合、面光源装置５０から発生された光の一部はサポート部３０によって遮断され、光学部材４０には暗部が発生する。したがって、暗部の面積を減少させるためにサポート部３０及び光学部材４０の接触面積を減少させる。
【００２５】
サポート部３０と光学部材４０との接触面積を減少させるために、サポート部３０は錐形状を有することが望ましい。サポート部３０は、例えば、三角錐、四角錐、多角錐、及び円錐形状を有することができる。本実施例において、サポート部３０は、例えば、円錐形状を有する。
【００２６】
一方、サポート部３０と光学部材４０との接触面積が減少する場合、サポート部３０の端部に加えられる圧力は増加し、これによってサポート部３０の端部または光学部材４０は破損する恐れがある。サポート部３０の端部は、緩やかな曲面部３１を含み、サポート部３０の端部に加えられる圧力は曲面部３１によって減少させ、サポート部３０の端部または光学部材４０の破損を防止する。
【実施例３】
【００２７】
図３は、本発明の第３の実施例によるサポート部材の断面図である。本発明の第３の実施例によるサポート部材は、サポート部の内構造を除けば、第１の実施例のサポート部材と同一である。したがって、同一の部材に対しては、第１の実施例と同一の参照番号で示し、その重複された説明は省略する。
【００２８】
図３を参照すると、サポート部材１０のサポート部３０は、サポート部３０の内部に形成された空間３２を含む。サポート部３０の内部に空間を形成する場合、サポート部３０の厚さと固定部２０の厚さとの差は減少し、これによってサポート部３０及び固定部２０の形状不良を減少させることができる。
【実施例４】
【００２９】
図４は、本発明の第４の実施例によるサポート部材の断面図である。図５は、図４のサポート部材の斜視図である。本発明の第４の実施例によるサポート部材は、サポート部の形状構造を除けば、第１の実施例のサポート部材と同一である。したがって、同一部材に対しては、第１の実施例と同一の参照番号で示し、その重複された説明は省略する。
【００３０】
図４及び図５を参照すると、サポート部材１０のサポート部３３は、光学部材４０と接触され、これによってサポート部３３は、光学部材４０を支持する。反面、面光源装置５０で発生された光の一部は、サポート部材１０のサポート部３３によって遮断され、これによって光学部材４０には暗部が形成される。
【００３１】
暗部の面積は、サポート部３３と光学部材４０との接触面積、及び固定部２０と接触されたサポート部３３の下段部の周り長さに比例する。
サポート部３３と光学部材４０との接触面積及びサポート部３３の下段部の周り長さを減少させた場合、光学部材４０に形成された暗部の面積を減少させることができる。
【００３２】
光学部材４０に形成された暗部の面積を減少させるために、サポート部３３は、暗部改善部３３ａを含むことができる。暗部改善部３３ａは、サポート部３３の側面の一部に形成され、これによってサポート部３３の下段部の周り長さが減少する。望ましくは、暗部改善部３３ａは、サポート部３３の側面の一部を切断して形成する。ここで、切断方向はサポート部２２の端部から固定部２０に向う方向である。
【００３３】
本実施例で、暗部改善部３３ａ、サポート部３３の側面に少なくとも一つ以上が形成される。望ましくは、暗部改善部３３ａは、例えば、サポート部３３の側面に２〜４個を形成する。
【実施例５】
【００３４】
図６は、本発明の第５の実施例によるサポート部材を有する面光源装置の平面図である。図７は、図６のＩ−Ｉ’線に沿って見た断面図である。図８は、図６のＩＩ−ＩＩ’線に沿って見た断面図である。本発明の第５の実施例によるサポート部材は固定部の配置位置を除けば、第１の実施例のサポート部材と同一である。したがって、同一の部材に対しては第１の実施例と同一の参照番号で示し、その重複された説明は省略する。
【００３５】
図６乃至図８を参照すると、面光源装置５０は、例えば、長方形プレートの形状を有する。長方形プレートの形状を有する面光源装置５０は、光が出射される発光部５１、及び発光部５１の間に形成された非発光部５２を含む。
【００３６】
発光部５１は、平面状で見たとき、長方形の形状を有し、第１面積を有する。非発光部５１は、平面状で見たとき、長方形の形状を有し、第１面積より小さい第２面積を有する。
面光源装置５０は、第１基板５４、第２基板５５、密封部材５８、及び空間分割部材５６、及び電極（図示せず）を含む。
【００３７】
第１基板５４及び第２基板５５は、相互に向い合う。密封部材５８は、第１基板５４と第２基板５５との間に介在され、第１基板５４と第２基板５５との間に空間を形成する。空間分割部材５６は、空間を少なくとも二つに分割し、複数の発光空間を提供する。
【００３８】
空間分割部材５６によって分割された発光空間には放電ガス５３が注入され、放電ガス５３と接触する接触面には蛍光層５７が塗布される。
電極（図示せず）は、第１基板５４または第２基板５５上に一対が離隔されて配置され、各放電空間を横切って配置される。電極は発光空間に放電を起こして発光空間から非可視光線を発生させる。非可視光線は蛍光層５７によって可視光線に変更される。
【００３９】
このような構成を有する面光線装置５０で発生した光は暗線状領域と輝線状領域を含み、暗線状部は発光空間を形成する空間分割部材５６に起因して発生する。
光学部材４０は、面光源装置５０のうち、光の進行経路上に配置され、光に含まれた暗線状領域と輝線状領域との明暗の差を除去する。光に含まれた暗線を除去するために面光源装置５０及び光学部材４０は相互所定間隔に離隔される。光学部材４０によって面光源装置５０で発生された光の輝度及び輝度均一性は大きく向上する。
【００４０】
光に含まれた暗線状領域と輝線状領域との明暗の差を除去するために、光学部材４０及び面光源装置５０が相互離隔される場合、光学部材４０の中心部には、例えば、重力に起因する曲げ（撓み）が発生する。光学部材４０に重力に起因する曲げ（撓み）が発生する場合、光学部材４０の光学特性は大きく低下する。
【００４１】
サポート部材１０は、光学部材４０と面光源装置５０との間に配置され、この結果、重力に起因する光学部材４０の曲げ（撓み）は防止される。
サポート部材１０は、面光源装置５０の非発光部５２上に配置されることが望ましい。サポート部材１０が面光源装置５０の非発光部５２上に配置される場合、面光源装置５０で発生された光の輝度及び輝度均一性を向上させることができる。
【００４２】
非発光部５２上に形成されたサポート部材１０は、固定部２０、及びサポート部３０を含む。
固定部２０は、例えば、非発光部５２の幅と実質的に同じ幅を有する長方形プレートの形状を有する。固定部２０はサポート部３０を支持し、サポート部３０は光学部材４０を支持する。
【実施例６】
【００４３】
図９は、本発明の第６の実施例によるサポート部材を有する面光源装置を示した平面図である。本発明の第６の実施例によるサポート部材は固定部の構造を除けば、第１の実施例のサポート部材と同一である。したがって、同一の部材に対しては第１の実施例と同一の参照番号で示し、その重複された説明は省略する。
【００４４】
図９を参照すると、固定部２０は第１固定部２１及び第２固定部２２を含む。第１固定部２１は、長方形プレートの形状を有し、第１固定部２１は非発光部５２上に形成される。第１固定部２１上にはサポート部３０が固定される。
【００４５】
第２固定部２２は、長方形プレートの形状を有する。第２固定部２２は面光源装置５０の表面に沿って、第１固定部２１に対して実質的に直角な方向に延長した形態とする。第２固定部２２によって第１固定部２１は面光源装置５０上に、より堅固に固定することができる。
【００４６】
望ましくは、第２固定部２２は、第１固定部２１の第１端部２１ａから非発光部５２の両側に形成された発光部５１に向かって延長することができる。これとは違って、第２固定部２２は、第１固定部２１の第１端部２１ａから非発光部５２のいずれか一側に形成された発光部５１に向かって延長することもできる。
【００４７】
また、第２固定部２２は、第１固定部２１の第１端部２１ａと対向する第２端部２１ｂから非発光部５２の両側に形成された発光部５１に向かって延長することができる。これとは違って、第２固定部２２は、第２端部２１ｂから非発光部５２のいずれか一側に形成された発光部５１に向かって延長することができる。
【実施例７】
【００４８】
図１０は、本発明の第７の実施例によるサポート部材を有する面光源装置を示した平面図である。本発明の第７の実施例によるサポート部材は固定部の形状を除けば、第９の実施例のサポート部材と同一である。したがって、同一の部材に対しては第９の実施例と同一の参照番号で示し、その重複された説明は省略する。
【００４９】
図１０を参照すると、面光源装置５０のうち、光学部材４０と向い合う面光源装置５０の上面には突出部５９が形成される。本実施例で、突出部５９は、尾根部及び尾根部に近接した溝部を含む。例えば、一つの突出部５９は、一つの尾根部、及び一つの尾根部の両側に近接した溝部を含む。各突出部５９の縦断面は、例えば、梯形、半円形、四角形、多角形などの多様な形状を有することができる。
【００５０】
本実施例で、面光源装置５０の突出部５９は、相互平行に配置され、突出部５９は相互所定間隔に離隔される。
サポート部材１０の固定部２０は、第１固定部２４及び第２固定部２５を含む。
【００５１】
第１固定部２４は、例えば、突出部５９の間に形成された溝部に配置され、突出部５９と平行に配置される。第２固定部２５は、第１固定部２４の側面から溝部の両側に配置された突出部５９に向かって突出部５９の形状に沿って延長することができる。これとは違って、第２固定部２５は、溝部のいずれか一側に配置された突出部５９に向かって突出部５９の形状に沿って延長することもできる。
【００５２】
第１固定部２４は光学部材４０を支持するサポート部３０を支持し、第２固定部２５は第１固定部２４を面光源装置５０上に固定する。
【実施例８】
【００５３】
図１１は、本発明の第８の実施例によるサポート部材を有する面光源装置を示した平面図である。本発明の第８の実施例によるサポート部材は、固定部の構造を除けば、第１の実施例のサポート部材と同一である。したがって、同一の部材に対しては、第１の実施例と同一の参照番号で示し、その重複された説明は省略する。
【００５４】
図１１を参照すると、固定部２０は、接触部２７、離隔部２９、及び連結部２８を含む。
接触部２７は、接着部材２７ａを通じて面光源装置５０の表面に接合される。離隔部２９は、面光源装置５０と所定間隔に離隔され、面光源装置５０及び離隔部２９は実質的に平行に配置される。連結部２８は、離隔部２９と接触部２７を相互連結して、離隔部２９は面光源装置５０から離隔される。
【００５５】
離隔部２９上には、サポート部３０が配置される。サポート部３０は、光学部材４０、例えば、拡散板を支持する。
一方、外部から光学部材４０に振動または外力が印加された場合、光学部材４０に加えられた力はサポート部材１０のサポート部３０に伝達され、サポート部３０に加えられた力は固定部２０の離隔部２９に印加される。固定部２０の離隔部２９に加えられた力は離隔部２９が弾性変形される過程において多く吸収され、面光源装置５０の破損が防止される。
【００５６】
これを実現するために、連結部２８の内側面と面光源装置５０の上面とが形成する角度は約３０°〜６０°であることが望ましい。
角度が約３０°より小さい場合、離隔部２９と面光源装置５０とが形成する間隔が狭くなって外部から加えられた衝撃を面光源装置に伝達する恐れがある。
反面、角度が６０°以上である場合、離隔部２９と面光源装置５０とが形成する間隔が増加してサポート部材の体積が大きく増加してしまい、外部から加えられた衝撃を吸収しにくい。
【実施例９】
【００５７】
図１２は、本発明の第９の実施例によるサポート部材を有する面光源装置を示した平面図である。本発明の第９の実施例によるサポート部材は、サポート部が結合方式になっていることを除けば、第８の実施例のサポート部材と同一である。したがって、同一の部材に対しては第８の実施例と同一の参照番号で示し、その重複された説明は省略する。
【００５８】
図１２を参照すると、本実施例によるサポート部材１０は、固定部材２３、及びサポートユニット３４を含む。本実施例によるサポート部材１０は、固定部材２３及びサポートユニット３４を相互結合して製造される。
固定部材２３には第１結合部２３ａが形成され、サポートユニット３４には第２結合部３４ａ形成される。
【００５９】
望ましくは、第１結合部２３ａは、固定部材２３からサポートユニット３４に向って突出した突起であり、第２結合部３４ａは固定部材２３に形成された突起と結合される結合溝である。これと違って、第１結合部２３ａは固定部材２３に形成され、突起と結合される凹部または貫通孔であり、第２結合部３４ａはサポートユニット３４から固定部材２３に向って突出された突起であることもできる。
【実施例１０】
【００６０】
（バックライトアセンブリ）
図１３は、本発明の第１０の実施例によるバックライトアセンブリを示した断面図である。
図１３を参照すると、バックライトアセンブリ１００は、サポート部材１１０、拡散板１４０、面光源装置１５０、及び収納容器１６０を含む。
収納容器１６０は、底板１６２及び側壁１６４を含む。底板１６２は、例えば、長方形プレートの形状を有し、側壁１６４は底板１６２の周辺部上に配置される。
【００６１】
面光源装置１５０は、長方形の形状を有し、光を発生する発光領域、及び発光領域の間に介在された非発光領域を含む。面光源装置１５０の非発光領域の両側には発光領域が配置される。面光源装置１５０は、収納容器１６０の底板１６２上に配置される。
【００６２】
面光源装置１５０で発生した光は、面光源装置１５０の非発光領域を起因とする暗線状領域と輝線状領域との明暗の差が生じる可能性がある。暗線状領域と輝線状領域との明暗の差は、画像の輝度均一性を大きく減少するため、暗線状領域と輝線状領域との明暗の差を減少させるために面光源装置１５０の上面には光学部材１４０が配置される。光学部材１４０は面光源装置１５０にて発生した光を拡散させ、光に含まれた暗線状領域と輝線状領域との明暗の差を除去する。
【００６３】
サポート部材１１０は、面光源装置１５０と光学部材１４０との間に介在される。サポート部材１１０は、重力に起因する光学部材１４０の曲げ（撓み）を防止し、この結果面光源装置１５０から光学部材１４０に向って発生された光に含まれる暗線状領域と輝線状領域との明暗の差は完全に除去される。
面光源装置１５０及び光学部材１４０を支持するためのサポート部材１１０は固定部１２０及びサポート部１３０を含む。
【００６４】
サポート部材１１０は、光の透過が可能である透明な物質を用いるのが望ましい。サポート部材１１０を構成する物質の例としては、ポリエチレンテレフタレート、ポリメチルメタクリレート、ポリカーボネートなどがある。
【００６５】
固定部１２０は、面光源装置１５０の一面、例えば、光が出射される光出射面上に配置される。固定部１２０は、面光源装置１５０の指定された位置にサポート部１３０を固定させる。望ましくは、固定部１２０と面光源装置１５０との間には、接着部材（図示せず）が介在されてもよい。本実施例で、接着部材は、例えば、接着剤、両面接着テープであってもよい。接着部材によって固定部１２０は面光源装置１５０上に固定される。
【００６６】
サポート部１３０は、固定部１２０上に形成または配置することができる。サポート部１３０は光学部材１４０を支持する。
サポート部材１１０の固定部１２０は、サポート部１３０を支持するプレート形状を有する。固定部１２０の上面に配置または形成されたサポート部３１０は錐形状を有することが望ましい。
【実施例１１】
【００６７】
図１４は、本発明の第１１の実施例によるバックライトアセンブリを示した平面図である。図１５は、図１４のＩＩＩ−ＩＩＩ’線に沿って見た断面図である。図１６は、図１５の「Ｂ」部分の拡大図である。図１７は、ＩＶ−ＩＶ’線に沿って見た断面図である。本発明の第１１の実施例によるバックライトアセンブリはサポート部材を除けば、第１０の実施例のバックライトアセンブリと同一である。したがって、同一の部材に対しては第１０の実施例と同一の参照番号で示し、その重複された説明は省略する。
【００６８】
図１４乃至図１７を参照すると、バックライトアセンブリ１００の面光源装置１５０は、光発生領域１５１、及び光発生領域１５１の両側に配置された非発光領域１５２を含む。面光源装置１５０の光発生領域１５１は、第１ガラス基板１５４、第１ガラス基板１５４と向い合う第２ガラス基板１５５の結合によって形成された放電空間を含む。
【００６９】
例えば、放電ガス１５３は、放電空間の中に注入される。また、蛍光層１５７は、放電空間の放電ガス１５３と接触する部位に形成してもよい。
第１外部電極及び第２外部電極（図示せず）は、第１ガラス基板１５４、及び第２ガラス基板１５５の、いずれか一つの表面上に形成される。第１外部電極及び第２外部電極は、第１ガラス基板１５４及び第２ガラス基板１５５の長手方向の端部に長手方向と直角方向に配置される。電気的エネルギが放電ガス１５３に伝達されると、放電ガス１５３は紫外線を放出し、紫外線は蛍光層１５７によって可視光線に変換される。
【００７０】
前記放電空間を定義するための空間分割部材１５６によって暗部を発生する恐れがある。本実施例による面光源装置１５０は、このような暗部の発生を減少させるために光学部材１４０を更に含むことができる。光学部材１４０は、第１ガラス基板１５４の上部に配置される。光学部材１４０は、輝度均一性を向上させるために、第１ガラス基板１５４から離隔される。
【００７１】
光学部材１４０が、第１ガラス基板１５４から離隔される場合、光学部材１４０は、自重によって重心部分が下側に垂れ下がる可能性がある。光学部材１４０の重心部分が下に垂れ下がる場合、輝度均一性は減少する。
【００７２】
したがって、このような垂れ下がり現象を防止するために、本発明では、光学部材１４０を支持するためのサポート部材１１０を有する。サポート部材１１０は、第１ガラス基板１５４と光学部材１４０との間に配置される。サポート部材１１０が非発光領域１５２に配置される場合、輝度及び輝度均一性が増大される。
【００７３】
面光源装置１５０の光発生領域１５１で発生した光が損失することを防止するために、面光源装置１５０と光学部材１４０との間に介在されたサポート部材１１０の固定部１２０は非発光領域１５２に配置される。
【００７４】
また、本実施例によるサポート部材１１０は、固定部１２０によって形成された衝撃吸収部１２０ａを有する。衝撃吸収部１２０ａは光学部材１４０を通じてサポート部材１１０のサポート部１３０に加えられた衝撃を吸収して面光源装置１５０の破損を防止する。
【００７５】
衝撃吸収部１２０ａを形成するために、固定部１２０は、接触部１２２、離隔部１２６、及び連結部１２４を含む。
接触部１２２は、接着部材を通じて面光源装置１５０の表面に接合される。離隔部１２６は、面光源装置１５０と所定間隔に離隔され、面光源装置１５０と離隔部１２６とは、実質的に平行に配置される。連結部１２４は、離隔部１２６、及び接触部１２２を相互連結して、離隔部１２６は面光源装置１５０から離隔される。
【００７６】
離隔部１２６には、サポート部１３０が配置される。サポート部１３０は、光学部材１４０を支持する。
一方、外部から光学部材１４０に振動または外力が印加される場合、光学部材１４０に加えられた力はサポート部材１１０のサポート部１３０に伝達され、サポート部１３０に加えられた力は、固定部１２０の離隔部１２６に印加される。固定部１２０の離隔部１２６に加えられた力は離隔部１２６が弾性変形する過程にて多く吸収され、面光源装置１５０の破損が防止される。
【００７７】
これを実現するために、連結部１２４の内側面と面光源装置１５０の上面とが形成する角度は約３０°〜６０°であることが望ましい。
角度が約３０°より小さい場合、離隔部１２６と面光源装置１５０とが形成する間隔が狭くなって外部から加えられた衝撃を面光源装置に伝達する恐れがある。
【００７８】
反面、角度が６０°以上である場合、離隔部１２６と面光源装置１５０の上面とが形成する間隔が増加され、表示装置の体積が大きく増加してしまい、外部から加えられた衝撃を吸収しにくい。
【００７９】
図１４を再び参照すると、固定部１２０は、第１固定部１２０ａ及び第２固定部１２０ｂを含むことができる。第１固定部１２０ａは、非発光領域１５２上に配置され、第２固定部１２０ｂは、第１固定部１２０ａの第１端部から非発光領域１５２に隣接した光発生領域１５１に向かって延長される。ここで、第２固定部１２０ｂは、非発光領域１５２の一側に配置された光発生領域１５１、または非発光領域１５２の両側に配置された光発生領域１５１に向かって延長されることができる。
【００８０】
また、固定部１２０は、第１固定部１２０ａ、第２固定部１２０ｂ、及び第３固定部１２０ｃを含むことができる。第１固定部１２０ａは、非発光領域１５２上に配置され、第２固定部１２０ｂは第１固定部１２０ａの第１端部から非発光領域１５２に隣接した光発生領域１５１に向かって延長される。ここで、第２固定部１２０ｂは、非発光領域１５２の一側に配置された光発生領域１５１、または非発光領域１５２の両側に配置された光発生領域１５１に向かって延長されることができる。第３固定部１２０ｃは第１固定部１２０ａの第１端部と対向する第２端部から非発光領域１５２に隣接した光発生領域１５１に向かって延長される。ここで、第３固定部１２０ｃは、非発光領域１５２の一側に配置された光発生領域１５１、または非発光領域１５２の両側に配置された光発生領域１５１に向かって延長されることができる。
【００８１】
さらに、固定部１２０は、第１固定部１２０ａ、第２固定部１２０ｂ、第３固定部１２０ｃ、及び連結部１２０ｄを含むことができる。第１固定部１２０ａは、非発光領域１５２上に配置され、第２固定部１２０ｂは第１固定部１２０ａの第１端部から非発光領域１５２に隣接した光発生領域１５１に向かって延長される。ここで、第２固定部１２０ｂは、非発光領域１５２の一側に配置された光発生領域１５１、または非発光領域１５２の両側に配置された光発生領域１５１に向かって延長されることができる。第３固定部１２０ｃは、第１固定部１２０ａの第１端部と対向する第２端部から非発光領域１５２に隣接した光発生領域１５１に向かって延長される。ここで、第３固定部１２０ｃは、非発光領域１５２の一側に配置された光発生領域１５１、または非発光領域１５２の両側に配置された光発生領域１５１に向かって延長されることができる。連結部１２０ｄは、第２固定部１２０ｂ及び第３固定部１２０ｃを相互連結して固定部１２０がより安定的に面光源装置１５０上に固定されるようにする。
【実施例１２】
【００８２】
図１８は、本発明の第１２の実施例によるバックライトアセンブリの断面図である。図１９は、図１８に示されているサポート部材の平面図である。図２０は、図１９に示したバックライトアセンブリをＶ−Ｖ’線に沿って見た断面図である。本発明の第１２の実施例によるバックライトアセンブリは、面光源装置を除けば、実施例１１のバックライトアセンブリと同一である。したがって、同一の部材に対しては、実施例１１と同一の参照番号で示し、その重複された説明は省略する。
【００８３】
図１８乃至図２０を参照すると、面光源装置１５０は、第１基板１５８、及び第２基板１５９を含む。第２基板１５９は、光学部材４０と向かい合い、第２基板１５９の上面には、複数の発光部１５９ｃが形成される。本実施例で、発光部１５９ｃは発光領域である尾根部１５９ａと尾根部１５９ａに隣接した非発光領域である溝部１５９ｂとを合わせて形成される。例えば、一つの発光部１５９ｃは、一つの尾根部１５９ａと一つの尾根部１５９ａの両側に隣接した溝部１５９ｂを含む。各発光部１５９ｃの縦断面は、例えば、梯形、半円形、四角形、三角形、多角形など多様な形状を有することができる。
【００８４】
本実施例で、面光源装置１５０の発光部１５９ｃは、面光源装置１５０の長辺方向に相互平行に配置され、発光部５９は、相互所定間隔に離隔される。例えば、発光部１５９ｃは、相互に２〜４ｍｍに離隔され配置される。
【００８５】
発光部１５９ａの内側面には、蛍光層１５９ｄが形成され、発光部１５９ａによって形成された空間には、水銀、アルゴン、ネオン、キセノン、クリプトンなどの放電ガスが注入される。これに加えて、面光源装置１５０には各発光部１５９ａの内部で放電を起こすための電極（図示せず）が配置される。望ましくは、面光源装置１５０に形成された電極は、面光源装置１５０の外部に配置されるか、或いは面光源装置１５０の内部に配置される。本実施例で、電極は面光源装置１５０の外部に一対が形成される。
【００８６】
また、本実施例によるサポート部材１１０は、固定部１２３によって形成された衝撃吸収部１２３ａを有する。衝撃吸収部１２３ａは、光学部材１４０を通じてサポート部材１１０のサポート部１３０に加えられた衝撃を吸収して面光源装置１５０の破損を防止する。
【００８７】
衝撃吸収部１２３ａを形成するために、固定部１２３は接触部１２３ｂ、離隔部１２３ｄ、及び連結部１２３ｃを含む（図１９左上サポート部材参照）。
接触部１２３ｂは、接着部材を通じて面光源装置１５０の表面に接合される。離隔部１２３ｄは、面光源装置１５０と所定間隔に離隔され、面光源装置１５０及び離隔部１２３ｄは実質的に平行に配置される。連結部１２３ｃは離隔部１２３ｄ及び接触部１２３ｂを相互連結し、離隔部１２３ｄは面光源装置１５０から離隔される。
離隔部１２３ｄには、サポート部１３０が配置され、サポート部１３０は光学部材１４０を支持する。
【００８８】
外部から光学部材１４０に振動または外力が印加された場合、光学部材１４０に加えられた力はサポート部材１１０のサポート部１３０に伝達され、サポート部１３０に加えられた力は固定部１２３の離隔部１２３ｄに印加される。固定部１２３の離隔部１２３ｄに加えられた力は離隔部１２３ｄが弾性変形される過程にて多く吸収され、面光源装置１５０の破損は防止される。
【００８９】
これを実現するために、連結部１２３ｃの内側面と面光源装置１５０の上面とが形成する角度は約３０°〜６０°であることが望ましい。
角度が約３０°より小さい場合、離隔部１２３ｄ及び面光源装置１５０が形成する間隔が狭くなって、外部から加えられた衝撃が面光源装置１５０に伝達される恐れがある。
また、角度が６０°以上である場合、離隔部１２３ｄ及び面光源装置１５０が形成する間隔が増加してサポート部材の体積が大きく増加してしまい、外部から加えられた衝撃を吸収しにくい。
【００９０】
次に、図１９の右上サポート部材を参照すると、固定部１２３は第１固定部１２０ａ及び第２固定部１２０ｂを含むことができる。第１固定部１２０ａは、溝部１５９ｂ上に配置され、第２固定部１２０ｂは第１固定部１２０ａの第１端部から溝部１５９ｂに隣接した尾根部１５９ａに向かって延長される。ここで、第２固定部１２０ｂは、溝部１５９ｂの一側に配置された尾根部１５９ａ、または溝部１５９ｂの両側に配置された尾根部１５９ａに向かって延長することができる。
【００９１】
また、固定部１２３は、第１固定部１２０ａ、第２固定部１２０ｂ、及び第３固定部１２０ｃを含むことができる（図９の左下サポート部材を参照）。第１固定部１２０ａは、溝部１５９ｂ上に配置され、第２固定部１２０ｂは第１固定部１２０ａの第１端部から溝部１５９ｂに隣接した尾根部１５９ａに向かって延長される。ここで、第２固定部１２０ｂは、溝部１５９ｂの一側に配置された尾根部１５９ａ、または溝部１５９ｂの両側に配置された尾根部１５９ａに向かって延長することができる。第３固定部１２０ｃは、第１固定部１２０ａの第１端部と対向する第２端部から溝部１５９ｂに隣接した尾根部１５９ａに向かって延長される。ここで、第３固定部１２０ｃは溝部１５９ｂの一側に配置された尾根部１５９ａ、または溝部１５９ｂの両側に配置された尾根部１５９ａに向かって延長することができる。
【００９２】
さらに、固定部１２３は、第１固定部１２０ａ、第２固定部１２０ｂ、第３固定部１２０ｃ、及び連結部１２０ｄを含むことができる（図９の右下サポート部材を参照）。第１固定部１２０ａは、溝部１５９ｂ上に配置され、第２固定部１２０ｂは第１固定部１２０ａの第１端部から溝部１５９ｂに隣接した尾根部１５９ａに向かって延長される。
ここで、第２固定部１２０ｂは、溝部１５９ｂの一側に配置された尾根部１５９ａ、または溝部１５９ｂの両側に配置された尾根部１５９ａに向かって延長することができる。
【００９３】
第３固定部１２０ｃは、第１固定部１２０ａの第１端部と対向する第２端部から溝部１５９ｂに隣接した尾根部１５９ａに向かって延長される。ここで、第３固定部１２０ｃは、溝部１５９ｂの一側に配置された尾根部１５９ａ、または溝部１５９ｂの両側に配置された尾根部１５９ａに向かってそれぞれ延長することができる。
【００９４】
連結部１２０ｄは、第２固定部１２０ｂ端と第３固定部１２０ｃとを相互連結して固定部１２３がより安定的に面光源装置１５０上に固定されるようにする。
【実施例１３】
【００９５】
図２１は、本発明の第１３の実施例によるバックライトアセンブリの平面図である。本発明の第１３の実施例によるバックライトアセンブリはサポート部材を除けば、第１２の実施例のバックライトアセンブリと同一である。したがって、同一部材に対しては、第１２の実施例と同一の参照番号で示し、その重複された説明は省略する。
【００９６】
図２１を参照すると、固定部１２３の第１固定部１２０ａは、溝部１５９ｂ上に配置され、第２固定部１２０ｂ及び第３固定部１２０ｃは第１固定部１２０ａの第１端部及び第１端部と対向する第２端部から溝部１５９ｂの両側に配置された尾根部１５９ａに向かって延長される。ここで、第２固定部１２０ｂ及び第３固定部１２０ｃは第１固定部１２０ａが形成された溝部１５９ｂと隣接した次の溝部の方まで延長される。
このように、第２固定部１２０ｂ及び第３固定部１２０ｃの長さが第１２の実施例の場合よりさらに延びる場合、サポート部材１１０はより安定的に光学部材１４０を支持することができる。
【実施例１４】
【００９７】
（表示装置）
図２２は、本発明の第１４の実施例による表示装置を示した断面図である。
図２２を参照すると、表示装置３００は、バックライトアセンブリ１００及び表示パネル２００を含む。これに加えて、表示装置３００は、シャーシ２５０を更に含むことができる。
【００９８】
バックライトアセンブリ１００は、サポート部材１１０、拡散板１４０、面光源装置１５０、及び収納容器１６０を含む。
収納容器１６０は、底板１６２及び側壁１６４を含む。底板１６２は、例えば、長方形プレートの形状を有し、側壁１６４は底板１６２の周辺部上に配置される。
【００９９】
面光源装置１５０は、直方体形状を有し、光を発生する発光領域である尾根部１５９ａと、発光領域間に介在された非発光領域である溝部１５９ｂとによる発光部１５９ｃを含む。つまり、面光源装置１５０の非発光領域の両側には、発光領域が配置される。面光源装置１５０は、収納容器１６０の底板１６２上に配置される。
【０１００】
面光源装置１５０で発生した光は、面光源装置１５０の非発光領域が起因となって発生する暗線状領域と輝線状領域との明暗の差が含まれる可能性がある。暗線状領域と輝線状領域との明暗の差は、画像の輝度均一性を大きく減少させるので、暗線状領域と輝線状領域との明暗の差を減少させるために面光源装置１５０の上面には光学部材１４０が配置される。光学部材１４０は、面光源装置１５０で発生した光を拡散させ、光に含まれた暗線状領域と輝線状領域との明暗の差を除去する。
【０１０１】
サポート部材１１０は、面光源装置１５０と光学部材１４０との間に介在される。サポート部材１１０は、光学部材１４０の垂れ（撓み）を防止し、この結果、光学部材１４０の垂れ（撓み）による暗線状領域と輝線状領域の発生を防止し、面光源装置１５０から発生された光に含まれた暗線状領域と輝線状領域との明暗の差を除去する。
面光源装置１５０及び光学部材１４０を支持するためのサポート部材１１０は、固定部１２３及びサポート部１３０を含む。
【０１０２】
サポート部材１１０は、光の透過が可能な透明な物質を用いることが望ましい。サポート部材１１０を構成する物質の例としては、ポリエチレンテレフタレート、ポリメチルメタクリレート、ポリカーボネートなどがある。
【０１０３】
固定部１２３は、面光源装置１５０の一面、例えば、光が出射する光出射面上に配置される。固定部１２３は、面光源装置１５０の指定された位置にサポート部１３０を固定させる。望ましく、固定部１２３と面光源装置１５０との接面部には、接着部材（図示せず）を介在することができる。本実施例で、接着部材は、例えば、接着剤、両面接着テープであってもよい。接着部材によって固定部１２３は、面光源装置１５０上に固定される。
【０１０４】
サポート部１３０は、固定部１２３上に形成または配置することができる。サポート部１３０は、光学部材１４０を支持する。
サポート部材１１０の固定部１２３は、サポート部１３０を支持するプレート形状、あるいは、図１１、図２０に示されるような形状を有し、固定部１２３の上面に配置または形成されたサポート部１３０は、面光源装置１５０で発生した光を遮断する面積を減少させる錐形状を有することが望ましい。
【０１０５】
収納容器１６０に結合された表示パネル２００は、複数個の画素電極及び薄膜トランジスタを有する薄膜トランジスタ基板２３０、共通電極及びカラーフィルタを有するカラーフィルタ基板２１０、及び薄膜トランジスタ基板２３０とカラーフィルタ基板との間に介在された液晶層２２０を含む。
【０１０６】
シャーシ２５０は、表示パネル２００を収納容器１６０に固定させる。シャーシ２５０は、第１シャーシ部２５２と第２シャーシ部２５４とを含む。第１シャーシ部２５２は、表示パネル２００の周辺部を押さえて固定し、第２シャーシ部２５４は、第１シャーシ部２５２から収納容器１６０の側壁１６４に沿って延長される。第２シャーシ部２５２は収納容器１６０の側壁１６４にフック結合することができる。
【０１０７】
尚、本発明は、上述の実施例に限られるものではない。本発明の技術的範囲から逸脱しない範囲内で多様に変更実施することが可能である。
【図面の簡単な説明】
【０１０８】
【図１】本発明の第１の実施例によるサポート部材を示した断面図である。
【図２】本発明の第２の実施例によるサポート部材であり、図１の「Ａ」部分の拡大図である。
【図３】本発明の第３の実施例によるサポート部材の断面図である。
【図４】本発明の第４の実施例によるサポート部材の断面図である。
【図５】図４のサポート部材の斜視図である。
【図６】本発明の第５の実施例によるサポート部材を有する面光源装置の平面図である。
【図７】図６のＩ−Ｉ’線に沿って見た断面図である。
【図８】図６のＩＩ−ＩＩ’線に沿って見た断面図である。
【図９】本発明の第６の実施例によるサポート部材を有する面光源装置を示した平面図である。
【図１０】本発明の第７の実施例によるサポート部材を有する面光源装置を示した平面図である。
【図１１】本発明の第８の実施例によるサポート部材を有する面光源装置を示した平面図である。
【図１２】本発明の第９の実施例によるサポート部材を有する面光源装置を示した平面図である。
【図１３】本発明の第１０の実施例によるバックライトアセンブリを示した断面図である。
【図１４】本発明の第１１の実施例によるバックライトアセンブリを示した平面図である。
【図１５】図１４のＩＩＩ−ＩＩＩ’線に沿って見た断面図である。
【図１６】図１５の「Ｂ」部分の拡大図である。
【図１７】図１４のＩＶ−ＩＶ’線に沿って見た断面図である。
【図１８】本発明の第１２の実施例によるバックライトアセンブリの断面図である。
【図１９】図１８に示されているサポート部材の平面図である。
【図２０】図１９に示したバックライトアセンブリをＶ−Ｖ’線に沿って見た断面図である。
【図２１】本発明の第１３の実施例によるバックライトアセンブリの平面図である。
【図２２】本発明の第１４の実施例による表示装置を示した断面図である。
【符号の説明】
【０１０９】
１０    サポート部材
２０    固定部
３０    サポート部
４０    光学部材
５０    面光源装置
【図１】
2006210337.tif 000003
【図２】
2006210337.tif 000004
【図３】
2006210337.tif 000005
【図４】
2006210337.tif 000006
【図５】
2006210337.tif 000007
【図６】
2006210337.tif 000008
【図７】
2006210337.tif 000009
【図８】
2006210337.tif 000010
【図９】
2006210337.tif 000011
【図１０】
2006210337.tif 000012
【図１１】
2006210337.tif 000013
【図１２】
2006210337.tif 000014
【図１３】
2006210337.tif 000015
【図１４】
2006210337.tif 000016
【図１５】
2006210337.tif 000017
【図１６】
2006210337.tif 000018
【図１７】
2006210337.tif 000019
【図１８】
2006210337.tif 000020
【図１９】
2006210337.tif 000021
【図２０】
2006210337.tif 000022
【図２１】
2006210337.tif 000023
【図２２】
2006210337.tif 000024